(57)【要約】【課題】流量計の計測結果を従来より精度よく電子データ化することが可能な電子データ化装置を提供する。【解決手段】本発明の電子データ化装置は、第１受光素子３１，３２とは別個に備えた第２受光素子３３にて、流量計９０の表示部９４内の文字盤９５（不動部分）における発光素子３０から光の反射光を受光し、その第２受光素子３３の第２検出信号の変化に基づいて第１受光素子３１，３２の第１検出信号の変化から温度ドリフト成分を差し引く補正を行うので、温度変化の影響が抑えられ、流量計９０の計測結果を従来より精度よく電子データ化することが可能になる。【選択図】図５
2019113480.tif 000002
【特許請求の範囲】
【請求項１】
流量計の表示部の外面に宛がわれ、前記表示部内で回転する回転部材に向けて光を出射する発光素子と、その光の前記回転部材での反射光を受光する第１受光素子と、前記第１受光素子が受光強度に応じて出力する第１検出信号の変化に基づいて前記回転部材の回転を計数して前記流量計の計測結果を電子データ化する計数部と、を有する電子データ化装置において、
前記表示部内の不動部分における前記発光素子から光の反射光を受光し、その受光強度に応じた第２検出信号を出力する第２受光素子と、
前記第２検出信号の変化に基づいて、前記第１検出信号の変化から温度ドリフト成分を差し引く補正を行う補正部と、を備える電子データ化装置。
【請求項２】
前記回転部材は、回転針であり、前記回転針の後ろには、前記不動部分としての文字盤が備えられ、
前記第１受光素子は、前記回転針の回転位置に応じて前記回転針での反射光か前記文字盤での反射光かを受光する位置に配置され、
前記第２受光素子は、前記回転針の回転位置に拘わらず実質的に前記回転針での反射光を受光せず、前記文字盤での反射光を受光する位置に配置されている請求項１に記載の電子データ化装置。
【請求項３】
前記第１受光素子の中心と前記第２受光素子の中心とが、前記発光素子を中心とする共通の円の上に配置されている請求項２に記載の電子データ化装置。
【請求項４】
前記第１受光素子は、２つ備えられて、前記回転針の回転位置の変化により一方の前記第１受光素子の前記第１検出信号のみが予め設定された閾値を超える第１状態と、両方の前記第１受光素子の前記第１検出信号が前記閾値を超える第２状態と、他方の前記第１受光素子の第１検出信号のみが前記閾値を超える第３状態と、両方の前記第１受光素子の第１検出信号が前記閾値を超えない第４状態とに切り替わるように配置され、
前記計数部は、前記第１状態、前記第２状態、前記第３状態、前記第４状態の順番の変化を１サイクルとして前記回転針の１回転を計数する請求項２又は３に記載の電子データ化装置。
【請求項５】
前記第１状態から前記第４状態への変化又は、前記第４状態から前記第３状態への変化又は、前記第３状態から前記第２状態への変化又は、前記第２状態から前記第１状態への変化の少なくとも１つの変化を含む状態変化から前記回転針の逆回転を検出する逆回転検出部を備える請求項４に記載の電子データ化装置。
【請求項６】
前記表示部の外面に重ねられ、前記第１受光素子及び前記第２受光素子を保持するベース部と、
前記ベース部に形成され、前記表示部の前記回転部材以外の部位を視認可能とするための窓部と、
前記第１検出信号又は前記第２検出信号が予め設定された基準値を超えたか否かに基づいて前記表示部内に外部から光が差し込んだ異常を検出して、前記計数部による計数を中断させる異常検出部と、を備える請求項１乃至５の何れか１の請求項に記載の電子データ化装置。
【請求項７】
前記異常検出部は、前記第２検出信号が前記基準値を超えたか否かに基づいて異常を検出するように構成され、
前記第２受光素子は、前記第１受光素子より前記窓部の近くに配置されている請求項６に記載の電子データ化装置。
【発明の詳細な説明】
【技術分野】
【０００１】
本発明は、流量計の表示部の外面に宛がわれ、表示部内の回転部材の回転を読み取って流量計の計測結果を電子データ化する電子データ化装置に関する。
【背景技術】
【０００２】
従来、この種の電子データ化装置として、発光素子が回転部材に向けて出射した光の反射光を第１受光素子にて受光し、その受光強度に応じて第１受光素子が出力する第１検出信号の変化に基づいて回転部材の回転を計数して電子データ化するものが知られている（例えば、特許文献１参照）。
【先行技術文献】
【特許文献】
【０００３】
【特許文献１】特開２００２−１０７１９０号公報（図１，図２、段落［００１４］）
【発明の概要】
【発明が解決しようとする課題】
【０００４】
上述した従来の電子データ化装置では、電子データ化した流量計の計数結果が、実際の流量計の計測結果から大きくずれることがあり、電子データ化の精度の向上が求められていた。
【０００５】
本発明は、上記事情に鑑みてなされたもので、流量計の計測結果を従来より精度よく電子データ化することが可能な電子データ化装置の提供を目的とする。
【課題を解決するための手段】
【０００６】
上記目的を達成するためになされた請求項１の発明は、流量計の表示部の外面に宛がわれ、前記表示部内で回転する回転部材に向けて光を出射する発光素子と、その光の前記回転部材での反射光を受光する第１受光素子と、前記第１受光素子が受光強度に応じて出力する第１検出信号の変化に基づいて前記回転部材の回転を計数して前記流量計の計測結果を電子データ化する計数部と、を有する電子データ化装置において、前記表示部内の不動部分における前記発光素子から光の反射光を受光し、その受光強度に応じた第２検出信号を出力する第２受光素子と、前記第２検出信号の変化に基づいて、前記第１検出信号の変化から温度ドリフト成分を差し引く補正を行う補正部と、を備える電子データ化装置である。
【０００７】
請求項２の発明は、前記回転部材は、回転針であり、前記回転針の後ろには、前記不動部分としての文字盤が備えられ、前記第１受光素子は、前記回転針の回転位置に応じて前記回転針での反射光か前記文字盤での反射光かを受光する位置に配置され、前記第２受光素子は、前記回転針の回転位置に拘わらず実質的に前記回転針での反射光を受光せず、前記文字盤での反射光を受光する位置に配置されている請求項１に記載の電子データ化装置である。
【０００８】
請求項３の発明は、前記第１受光素子の中心と前記第２受光素子の中心とが、前記発光素子を中心とする共通の円の上に配置されている請求項２に記載の電子データ化装置である。
【０００９】
請求項４の発明は、前記第１受光素子は、２つ備えられて、前記回転針の回転位置の変化により一方の前記第１受光素子の前記第１検出信号のみが予め設定された閾値を超える第１状態と、両方の前記第１受光素子の前記第１検出信号が前記閾値を超える第２状態と、他方の前記第１受光素子の第１検出信号のみが前記閾値を超える第３状態と、両方の前記第１受光素子の第１検出信号が前記閾値を超えない第４状態とに切り替わるように配置され、前記計数部は、前記第１状態、前記第２状態、前記第３状態、前記第４状態の順番の変化を１サイクルとして前記回転針の１回転を計数する請求項２又は３に記載の電子データ化装置である。
【００１０】
請求項５の発明は、前記第１状態から前記第４状態への変化又は、前記第４状態から前記第３状態への変化又は、前記第３状態から前記第２状態への変化又は、前記第２状態から前記第１状態への変化の少なくとも１つの変化を含む状態変化から前記回転針の逆回転を検出する逆回転検出部を備える請求項４に記載の電子データ化装置である。
【００１１】
請求項６の発明は、前記表示部の外面に重ねられ、前記第１受光素子及び前記第２受光素子を保持するベース部と、前記ベース部に形成され、前記表示部の前記回転部材以外の部位を視認可能とするための窓部と、前記第１検出信号又は前記第２検出信号が予め設定された基準値を超えたか否かに基づいて前記表示部内に外部から光が差し込んだ異常を検出して、前記計数部による計数を中断させる異常検出部と、を備える請求項１乃至５の何れか１の請求項に記載の電子データ化装置である。
【００１２】
請求項７の発明は、前記異常検出部は、前記第２検出信号が前記基準値を超えたか否かに基づいて異常を検出するように構成され、前記第２受光素子は、前記第１受光素子より前記窓部の近くに配置されている請求項６に記載の電子データ化装置である。
【発明の効果】
【００１３】
請求項１の電子データ化装置では、第１受光素子とは別個に備えた第２受光素子で、流量計の表示部内の不動部分における発光素子から光の反射光を受光し、その第２受光素子の第２検出信号の変化に基づいて第１受光素子の第１検出信号の変化から温度ドリフト成分を差し引く補正を行う。これにより、温度変化の影響が抑えられ、流量計の計測結果を従来より精度よく電子データ化することが可能になる。
【００１４】
請求項２の電子データ化装置では、回転部材としての回転針に発光素子から向かった光は、回転針で反射して第１受光素子に受光されるか、文字盤で反射して第１受光素子に受光されるかに変化する。これにより、第１受光素子の第１検出信号も変化し、回転部材の回転の計数が可能になる。なお、回転部材が多面体構造をなして回転部材の回転により発光素子から光の反射方向が変化することで第１受光素子の第１検出信号が変化するようにしてもよい。
【００１５】
請求項３の電子データ化装置では、第１受光素子と第２受光素子とが、発光素子から同じ距離に位置するので、第１受光素子の第１検出信号と、第２受光素子の第２検出信号とに温度ドリフト成分が同様に重畳し、その温度ドリフト成分の補正が容易になる。
【００１６】
請求項４の電子データ化装置では、第１受光素子を２つ備えて、それらの第１検出信号と閾値との大小関係が第１状態〜第４状態に切り替わる。そして、その第１状態〜第４状態の順番の変化を１サイクルとして回転針の１回転を計数するので、回転針の１回転を正確に読み取ることができ、この点においても流量計の計測結果を従来より精度よく電子データ化することが可能になる。また、この場合、請求項５の構成のように、第１状態〜第４状態の逆順の状態変化から回転針の逆回転を検出してもよく、そのような構成にすることで、流量計を細かく監視又は管理することができる。
【００１７】
請求項６の電子データ化装置では、窓部を通して流量計のうち前述の回転部材以外の部位を視認することができる。また、本発明では、第１検出信号又は第２検出信号が基準値を超えたか否かに基づいて表示部内に外部から光が差し込んだ異常を検出して、計数部による計数を中断させるので、窓部を設けたことによる悪影響が抑えられる。なお、前述の回転部材以外の部位として、例えば別の回転部材や流量計の識別番号等が挙げられる。
【００１８】
請求項７の電子データ化装置では、第１受光素子より窓部の近い第２受光素子の第２検出信号に基づいて、表示部内に外部から光が差し込んだ異常を検出するので、異常検出の精度が向上する。
【図面の簡単な説明】
【００１９】
【図１】本発明の第１実施形態に係る流量計の斜視図
【図２】流量計に電子データ化装置が取り付けられた状態の斜視図
【図３】電子データ化装置の下面側の斜視図
【図４】発光素子と第１及び第２の受光素子の位置関係を示した平面図
【図５】発光素子と第１及び第２の受光素子の位置関係を示した側断面図
【図６】第１及び第２の検出信号、状態判定信号等の変化を示したグラフ
【図７】第１及び第２の検出信号の変化を示したグラフ
【図８】電子データ化装置の回路図
【図９】水道水管理システムの概念図
【発明を実施するための形態】
【００２０】
［第１実施形態］
以下、本発明の第１実施形態を図１〜図９に基づいて説明する。図１に示された流量計９０は、例えば、一般的な住居に設定される水道メータであって、円筒状のケース本体９１に図示しない羽根車を収容して備える。そして、ケース本体９１から側方に張り出す１対の接続部９１Ａ，９１Ｂに水道管が接続されてケース本体９１内を水道水が流れ、その流れに応じて羽根車が回転する。
【００２１】
ケース本体９１のうち羽根車の上方には計量部９２が収容され、ケース本体９１の上端部に螺合装着された蓋体９３にて抜け止めされている。蓋体９３は、ケース本体９１の上端部に螺合する筒部９３Ａの内側にガラス板９３Ｂを張ってなる。そして、計量部９２の上端部がガラス板９３Ｂに内側から対向して流量計９０の表示部９４が構成されている。なお、ガラス板９３Ｂの上面は、筒部９３Ａの上面より下方に位置して、これにより蓋体９３の上部には筒部９３Ａに包囲された凹部９４Ｄが形成され、その凹部９４Ｄの底に表示部９４が配置されている。
【００２２】
計量部９２は、ガラス板９３Ｂの内面に対して隙間を空けて対向する文字盤９５と、文字盤９５上で回転するパイロット９６及び回転針９７，９８と、文字盤９５に形成された矩形窓９５Ｗ内で回転する積算カウンタ９９とを有する。これらパイロット９６、回転針９７，９８、積算カウンタ９９は、本発明に係る「回転部材」に相当し、羽根車の回転に連動して回転する。また、羽根車の回転に対する減速比は、パイロット９６、一方の回転針９７、他方の回転針９８、そして、積算カウンタ９９の順番で大きくなっている。
【００２３】
具体的には、パイロット９６は、ガラス板９３Ｂに向かって突出する正多角錐になっていて、例えば、羽根車が回転しているか否かの目視確認に使用される。回転針９７，９８は、中心軸部８９から三角形の片持ち梁状の針本体８８が水平に張り出した構造をなしている。そして、一方の回転針９７は、１０リットルの水道水が流量計９０を通過する間に１回転し、他方の回転針９８は、１００リットルの水道水が流量計９０を通過する間に１回転する。
【００２４】
積算カウンタ９９は、共通の水平軸回りに回転する複数のリール９９Ａを横並びに配置してなり、それらリール９９Ａの外周面には０〜９の数字が均等に付されている。そして、回転針９８が１回転する度に、右端のリール９９Ａが１／１０回転すると共に、隣り合ったリール９９Ａ，９９Ａの間では、右側のリール９９Ａが１回転する度に左側のリール９９Ａが１／１０回転する。これにより、流量計９０を通過する水道水の積算流量が積算カウンタ９９によって表示される。
【００２５】
文字盤９５は、中心からずれた位置で直線状に延びる境界部９５Ａを有し、境界部９５Ａを挟んで狭い側に積算カウンタ９９、広い側にパイロット９６及び回転針９７，９８が配置されている。また、パイロット９６は、境界部９５Ａの一端寄り位置に配置され、回転針９８は、境界部９５Ａの他端寄り位置に配置されている。そして、回転針９７は、パイロット９６及び回転針９８より境界部９５Ａから離れた位置に配置されている。
【００２６】
文字盤９５には、回転針９７，９８の先端部の回動軌跡の略真下となる位置には、それぞれ円形線８７が付され、その円形線８７の内側に「０」〜「９」の目盛８６が付されている。また、一方の回転針９７の下の円形線８７の外側には１目盛が「１リットル」を意味する表示「１Ｌ」が付され、他方の回転針９８の下の円形線８７の外側には１目盛が「１０リットル」を意味する表示「１０Ｌ」が付されている。
【００２７】
蓋体９３の筒部９３Ａの外周面からは四方に側面突部９３Ｃが張り出し、それらのうちの１つの側面突部９３Ｃに穿孔された支持孔９３Ｄに図示しない回転扉が回動可能に取り付けられて、表示部９４を上方から覆うことができるようになっている。
【００２８】
図２に示すように、本実施形態の電子データ化装置１０は、回転扉が外された状態の流量計９０の上面に重ねられるベース部１１を備える。ベース部１１は、例えば、樹脂の成形品であって全体が円板状をなしている。
【００２９】
図３に示すように、ベース部１１の下面の外縁寄り位置には、ベース部１１の外周面と同心の円形の段差面１２Ｄが形成され、その段差面１２Ｄの内側の陥没部１２の中央には、段差面１２Ｄと同心の中央孔１３が形成されている。また、図２に示すように、中央孔１３には、その中心からずれた位置を横切る架橋部１４（図２参照）が備えられ、中央孔１３のうち架橋部１４を挟んで広い側が窓部１５をなし、狭い側が基板収容部１６になっている。そして、窓部１５を通して流量計９０の表示部９４を視認することができる。
【００３０】
陥没部１２の下面には、基板収容部１６を閉塞するように基板支持部１７が形成されている。図３に示すように、基板支持部１７は、基板収容部１６より一回り大きな三日月状をなし、その外縁部が陥没部１２の下面における基板収容部１６の外縁部に重なるように陥没部１２の下面に一体形成されている。また、基板支持部１７には、その両端の角部を除く全体の下面を段付き状に陥没させて陥没部１７Ａが形成されている。そして、陥没部１７Ａの外形と同一の外形を有する環状のグロメット１８が、陥没部１７Ａに嵌めこまれた状態にモールド成形されるか接着剤にて固定され、基板支持部１７の下面から突出している。
【００３１】
基板支持部１７には、グロメット１８を介して下方に臨む矩形の貫通孔１９が形成されている。そして、図２に示すように、貫通孔１９を閉塞するように基板支持部１７の上面に回路基板２０が重ねられている。また、基板支持部１７から支柱１７Ｊが起立して回路基板２０の取付孔を貫通しかつ熱カシメされて、回路基板２０がベース部１１に固定されている。なお、ベース部１１の上面のうち基板収容部１６の近傍位置には、バッテリーボックス１１Ｂが固定され、回路基板２０は、そのバッテリーボックス１１Ｂ内のバッテリーから給電されて作動する。
【００３２】
回路基板２０を詳説する前に、電子データ化装置１０の流量計９０に対する固定方法について説明する。電子データ化装置１０を流量計９０に固定するには、ベース部１１の下面の陥没部１２（図３参照）内に流量計９０の筒部９３Ａ（図２参照）の上端部を嵌合し、架橋部１４（図２参照）を表示部９４の境界部９５Ａ（図１参照）に平行に配置しかつ、窓部１５を表示部９４の積算カウンタ９９に対向配置する。すると、グロメット１８が、表示部９４のガラス板９３Ｂの上面に密着し、貫通孔１９を介して回路基板２０が表示部９４の回転針９７に対向した状態になる。この状態で、回路基板２０が流量計９０に例えば接着剤にて固定される。
【００３３】
以下、電子データ化装置１０が流量計９０に上記の如く固定された状態を前提にして、回路基板２０について説明する。図３に示すように、回路基板２０の下面には、発光素子３０と１対の第１受光素子３１，３２と第２受光素子３３とが実装されている。
【００３４】
発光素子３０は、例えば、ＬＥＤであって、下面に発光面を有する。また、第１受光素子３１，３２及び第２受光素子３３の３つの受光素子は、例えば、同一構造、同一性能のフォトダイオードであって下面に受光面を有する。そして、発光素子３０，第１受光素子３１，３２及び第２受光素子３３は、上記バッテリーから常時受電していて、発光素子３０が出射した光の反射光を第１受光素子３１，３２及び第２受光素子３３が受光し、それら受光強度に応じた検出信号を出力する。
【００３５】
図４には、回路基板２０を透視して、発光素子３０、第１受光素子３１，３２及び第２受光素子３３を、上方から表示部９４に重ねて見た状態が示されている。同図に示すように発光素子３０、第１受光素子３１，３２及び第２受光素子３３は、平面形状が略四角形をなし、それら四角形の縦横の辺は、架橋部１４（図２参照）と平行又は垂直になっている。また、図５に示すように、発光素子３０の発光面と、第１受光素子３１，３２、第２受光素子３３の受光面とは、何れもガラス板９３Ｂの上面に略平行になって隣接し、表示部９４内に向けられている。そして、第１受光素子３１，３２は、回転針９７の回転位置に応じて回転針９７での反射光か、文字盤９５での反射光かを受光する位置に配置され、第２受光素子３３は、回転針９７の回転位置に拘わらず実質的に回転針９７での反射光を受光せず、文字盤９５での反射光を受光する位置に配置されている。
【００３６】
より具体的には、図４に示すように、発光素子３０は、回転針９７の回転領域Ｒ１内における外縁部のうち回転針９７の回転中心Ｐ１から架橋部１４（図２参照）と平行にパイロット９６（図１参照）側に移動した位置に対向配置されている。換言すれば、発光素子３０は、回転針９７の回転領域Ｒ１の下方の目盛８６の「７」と「８」との間の中央位置に対向配置されている。
【００３７】
第２受光素子３３は、前述の回転領域Ｒ１の外側の近傍領域Ｒ２に対向しかつ、発光素子３０の近傍で発光素子３０より窓部１５（図２参照）側にずらして配置されている。
【００３８】
第１受光素子３１，３２は、回転領域Ｒ１のうち発光素子３０より中心寄りで、発光素子３０の中心３０Ｃと回転針９７の回転中心Ｐ１とを結ぶ直線ＣＬ１に対して左右対称に配置されている。また、第１受光素子３１，３２は、互いに隣接していて、例えば、発光素子３０と第１受光素子３１，３２とが、真上から見て、同時に回転針９７の針本体８８の一部に重なり得る位置に配置されている。そして、回転針９７が図４の時計回りに回転し、一方の第１受光素子３１のみが回転針９７に対向した状態と、両方の第１受光素子３１，３２が回転針９７に対向した状態と、他方の第１受光素子３２のみが回転針９７に対向した状態と、両方の第１受光素子３１，３２が回転針９７に対向しない状態とに変化する。また、第１受光素子３１，３２の中心３１Ｃ，３２Ｃと第２受光素子３３の中心３３Ｃとは、発光素子３０の中心３０Ｃを中心とする共通の円Ｃ１０の上に配置されている。
【００３９】
上記配置により、上述の如く、第１受光素子３１，３２は、回転針９７の回転位置に応じて回転針９７での反射光か、文字盤９５での反射光かを受光し、第２受光素子３３は、回転針９７の回転位置に拘わらず実質的に回転針９７での反射光を受光せず、文字盤９５での反射光のみを受光する。
【００４０】
これにより、電子データ化装置１０が外乱を受けていない状態では、図６（Ａ）に示すように、第２受光素子３３の第２検出信号は、回転針９７の回転位置に拘わらず、第２受光素子３３が受光する発光素子３０からの光の文字盤９５における反射光の強度と同様に一定になる。これに対し、図６（Ｂ）及び図６（Ｃ）に示すように、両第１受光素子３１，３２の第１検出信号は、回転針９７が１回転する度に、その回転位置に応じて徐々に大きくなってから徐々に小さくなる１つの検出波Ｗ１が生じるように変化する。また、図６（Ｂ）に示した一方の第１受光素子３１の第１検出信号の検出波Ｗ１と、図６（Ｃ）に示した他方の第１受光素子３２の第１検出信号の検出波Ｗ１とは、部分的に重複するように発生する。なお、図６のグラフにおける横軸は、回転針９７の回転位置［θ］を示している。
【００４１】
ところで、電子データ化装置１０が、例えば温度変化を外乱として受けると、発光素子３０が出射する光の強度が変化し、その影響を受けて第１検出信号と第２検出信号とに温度ドリフト成分が重畳する。具体的には、図７（Ａ）〜図７（Ｃ）に示すように、電子データ化装置１０の温度が徐々に下がると、発光素子３０から出射される光の強度が徐々に低くなり、第１受光素子３１，３２の第１検出信号と、第２受光素子３３の第２検出信号とが同じように徐々に大きくなる一方、電子データ化装置１０の温度が徐々に上昇すると、発光素子３０から出射される光の強度が徐々に高くなり、第１受光素子３１，３２の第１検出信号と、第２受光素子３３の第２検出信号とが同じように徐々に小さくなる。なお、図７のグラフにおける横軸は、時間を示している。
【００４２】
回路基板２０には、発光素子３０等以外に図８に示した信号処理回路３４、無線回路３９等が実装されている。また、信号処理回路３４には、第１判定回路３５、第２判定回路３７、補正回路３６及びマイコン３８等が含まれ、これらが上記した第１検出信号と第２検出信号とに基づいて回転針９７の回転を計数する。
【００４３】
第１判定回路３５は、予め設定された上基準値と下基準値と第２受光素子３３の第２検出信号とを比較する２つのコンパレータを有し、第２検出信号が温度ドリフト成分を超えて上基準値より大きくなったか下基準値より小さくなったかを判定して、例えば、２ビットの異常判定信号を出力する。具体的には、第２検出信号が温度ドリフト成分を超えて上基準値より大きくなった場合には、［１０］の異常判定信号を出力し、第２検出信号が温度ドリフト成分を超えて下基準値より小さくなった場合には、［０１］の異常判定信号を出力し、第２検出信号が下基準値以上、上基準値以下に収まっている場合には、［００］の異常判定信号を出力する。なお、［１０］の異常判定信号が出力される例としては、何者かが不正に窓部１５内をＬＥＤライトで照らして、回転針９７側へと光が差し込んだ場合が考えられ、［０１］の異常判定信号が出力される例としては、発光素子３０が接触不良等によって点滅する場合が考えられる。
【００４４】
補正回路３６は、本発明の「補正部」に相当し、第１受光素子３１，３２の各第１検出信号と第２受光素子３３の第２検出信号とを取り込み、各第１検出信号に対する第２検出信号との電位差を出力する。これにより、図７（Ｂ）と図７（Ｃ）に示した温度ドリフト成分を含む各第１検出信号が、図７（Ｄ）と図７（Ｅ）に示した温度ドリフト成分を除去された第１検出信号へと補正される。また、温度ドリフト成分以外にも、例えば、発光素子３０の「ちらつき」によるノイズが第１検出信号及び第２検出信号のそれぞれに重畳した場合も、そのようなノイズが補正回路３６により除去される。
【００４５】
第２判定回路３７は、補正回路３６による補正後の第１受光素子３１，３２の各第１検出信号と閾値とを比較する２つのコンパレータを有する。その閾値は、図６（Ｄ）と図６（Ｅ）に示すように、補正後の第１受光素子３１，３２の両第１検出信号の検出波Ｗ１，Ｗ１の重複部分におけるピークレベルＶｐより小さく、両第１検出信号の検出波Ｗ１，Ｗ１以外の平坦部のレベルより大きな値に設定されている。そして、一方の第１検出信号と閾値との比較結果（図６（Ｆ）参照）と、他方の第１検出信号と閾値との比較結果（図６（Ｇ）参照）とから、２ビットの状態判定信号（図６（Ｈ））を生成して出力する。
【００４６】
具体的には、第２判定回路３７は、一方の第１受光素子３１の第１検出信号のみが閾値を超える第１状態を意味する[１０]の状態判定信号と、両方の第１受光素子３１，３２の第１検出信号が閾値を超える第２状態を意味する［１１］の状態判定信号と、他方の第１受光素子３２の第１検出信号のみが閾値を超える第３状態を意味する［０１］の状態判定信号と、両方の第１受光素子３１，３２の第１検出信号が閾値を超えない第４状態を意味する［００］の状態判定信号とを出力する。
【００４７】
マイコン３８は、ＣＰＵ，ＲＯＭ，ＲＡＭをパッケージにして備え、ＲＯＭに記憶されたプログラムを所定周期で繰り返して実行することで、図８にブロック図として示した計数部４１、異常処理部４２、通信制御部４３、記憶部４４等として機能する。
【００４８】
計数部４１は、第２判定回路３７が出力する状態判別信号が、「１０」、「１１」、「０１」、「００」の順番を１サイクルとして変化したことを条件にして、その１サイクルを回転針９７の１回転として検出する。詳細には、計数部４１は、状態判別信号が「００」になってから、「１０」、「１１」、「０１」の順番で変化し、再び「００」に戻った時点までを回転針９７の１回転として検出する。このようにして、電子データ化装置１０による流量の計測結果である回転針９７の回転が電子データ化される。また、計数部４１は、カウンタを有し、回転針９７の１回転を検出する毎に、１つカウンタをインクリメントして回転針９７の積算回転数を計数する。また、計数部４１は、本発明に係る「逆回転検出部」としても機能する。即ち、計数部４１は、状態判別信号が「１１」から「１０」又は、「０１」から「１１」又は、「００」から「０１」又は、「１０」から「００」に変化した場合に、これを「回転針９７の逆回転」として検出し、さらには、「００」、「０１」、「１１」、「１０」の順番を１サイクルとして変化したことを条件に回転針９７の逆回転の積算回転数も計数する。そして、計数部４１は、カレンダー機能を有し、一月毎に回転針９７の積算回転数を演算して記憶部４４に記憶すると共に、併せて、回転針９７の逆回転の有無と、逆回転の積算回転数を記憶部４４に記憶する。なお、計数部４１は、前述の第１判定回路３５及び次述する異常処理部４２が異常ありと判断している間は計数を中断し、その異常が解消した場合には、計数を再開する。例えば、水道水が逆流方向に通水されている場合には、状態判別信号が「００」、「０１」、「１１」、「１０」、「００」の順番で変化するので、異常処理部４２は、これを異常と判断する。このように、回転針９７の正転、逆転も検知し、積算回転数の誤演算を防ぐことができる。また、本実施形態では、第１判定回路３５と異常処理部４２とが本発明に係る「異常検出部」に相当する。
【００４９】
異常処理部４２は、判別信号の１サイクルの順番が、「１０」、「１１」、「０１」、「００」から変化した場合にそれを異常と判断して、その異常の発生日時を記憶部４４に記憶する。また、前述の第１判定回路３５が異常を意味する［１０］か［０１］の異常判定信号を出力している場合もその異常の発生日時を記憶部４４に記憶する。
【００５０】
通信制御部４３は、電子データ化装置１０毎に設定された識別番号と共に、計数部４１が演算した一月当りの回転針９７の積算回転数と、その計測月を特定する日付データとを基地局（図９参照）に無線送信する。また、通信制御部４３は、異常処理部４２が記憶した異常情報を、それら異常発生時に基地局に無線送信する。
【００５１】
なお、図９に示すように、基地局に無線送信されたデータは、インターネット等の通信ネットワークを介してクラウドサーバーに取り込まれる。そして、水道網を管理する事業体がクラウドサーバーにアクセスして水道使用量を管理する。
【００５２】
本実施形態の電子データ化装置１０の構成に関する説明は以上である。次に、この電子データ化装置１０の作用効果について説明する。上記したように本実施形態の電子データ化装置１０は、第１受光素子３１，３２を２つ備えて、それらの両第１検出信号と閾値との大小関係が第１状態〜第４状態の順番で変化したことを１サイクルとして回転針の１回転を計数するので、回転針９７の１回転を正確に読み取ることができ、流量計９０の計測結果を従来より精度よく電子データ化することが可能になる。
【００５３】
しかも、第１受光素子３１，３２とは別個に備えた第２受光素子３３にて、流量計９０の表示部９４内の文字盤９５（不動部分）における発光素子３０から光の反射光を受光し、その第２受光素子３３の第２検出信号の変化に基づいて第１受光素子３１，３２の第１検出信号の変化から温度ドリフト成分を差し引く補正を行うので、温度変化の影響が抑えられ、流量計９０の計測結果を従来より精度よく電子データ化することが可能になる。 
【００５４】
また、発光素子３０から第２受光素子３３までの距離と、発光素子３０から第１受光素子３１，３２までの距離とを同じにしたので、第１受光素子３１，３２の第１検出信号と、第２受光素子３３の第２検出信号とに温度ドリフト成分が同様に重畳し、その温度ドリフト成分の補正が容易になる。
【００５５】
さらには、電子データ化装置１０のベース部１１に備えた窓部１５を通して流量計９０の積算カウンタ９９を目視することができ、これにより、流量計９０の実際の計量結果と電子データ化した計測結果とを比較して電子データ化の精度を確認することができる。
【００５６】
また、窓部１５から光が差し込んで異常が発生し得るが、そのような異常を検出して、計数部４１による計数を中断させるので、窓部を設けたことによる悪影響が抑えられる。また、その異常検出は、第１受光素子３１，３２より窓部１５の近い第２受光素子３３の第２検出信号に基づいて行われるので、高い精度で異常検出を行うことができる。
【００５７】
［第２実施形態］
本実施形態の電子データ化装置は、図示しないが前記第１実施形態の電子データ化装置１０から第１受光素子３２を排除し、それ以外は、第１実施形態の電子データ化装置１０ど同様な構成になっている。そして、本実施形態の電子データ化装置１０では、第２判定回路３７が、第１受光素子３１の第１検出信号と閾値との比較から１ビットの状態判別信号を生成する。また、計数部４１は、状態判別信号が［０］、［１］の順番で変わったことを１サイクルとして回転針９７の１回転を計数する。このような構成としても、第１実施形態と同様に温度変化の影響が抑えられ、流量計９０の計測結果を従来より精度よく電子データ化することが可能になる。
【００５８】
［第３実施形態］
本実施形態の電子データ化装置は、図示しないが、第１実施形態で説明した発光素子３０がパイロット９６の側面に向けて光を出射し、パイロット９６の回転により第１受光素子３１がパイロット９６からの反射光を受光したり、しなかったりするようになっている。そして、計数部４１は、第２判定回路３７が生成した状態判別信号に含まれるパルス波がパイロット９６の側面の数と同じ数だけカウントされたことをパイロット９６の１回転として計数する。その他の構成は、第１及び第２の実施形態と同様である。
【００５９】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６０】
（１）前記実施形態の電子データ化装置１０では、窓部１５を通して積算カウンタ９９を視認することができるようになっていたが、積算カウンタ９９ではなく、流量計９０の識別番号を視認できるようにしてもよい。また、窓部１５を備えていなくてもよい。さらには、窓部１５を開閉する開閉扉を備えた構成としてもよい。
【００６１】
（２）前記実施形態の電子データ化装置１０では、発光素子３０から第１受光素子３１，３２及び第２受光素子３３までの距離が同じであったが、その距離が異なっていてもよい。その場合、それら距離の相違に対応して第１受光素子３１，３２の第１検出信号又は、第２受光素子３３の第２検出信号に所定のゲインを乗じてから、第１受光素子３１，３２の各第１検出信号から第２受光素子３３の第２検出信号を差し引いて、温度ドリフト成分を除去すればよい。
【００６２】
（３）前記実施形態の流量計９０は、水道メータであったが、水道メータ以外の流量計（例えば、化学プラント工場や発電所等に設置された流量計）に電子データ化装置を取り付けて使用してもよい。
【符号の説明】
【００６３】
１０    電子データ化装置
１５    窓部
３０    発光素子
３１，３２    第１受光素子
３０Ｃ，３１Ｃ，３２Ｃ，３３Ｃ    中心
３３    第２受光素子
３５    第１判定回路（異常検出部）
３６    補正回路（補正部）
３７    第２判定回路
４１    計数部（逆回転検出部）
４２    異常処理部（異常検出部）
９０    流量計
９４    表示部
９５    文字盤（不動部分）
９６    パイロット（回転部材）
９７，９８    回転針（回転部材）
９９    積算カウンタ（回転部材）
【図１】
2019113480.tif 000003
【図２】
2019113480.tif 000004
【図３】
2019113480.tif 000005
【図４】
2019113480.tif 000006
【図５】
2019113480.tif 000007
【図６】
2019113480.tif 000008
【図７】
2019113480.tif 000009
【図８】
2019113480.tif 000010
【図９】
2019113480.tif 000011